(57)【要約】【課題】鍵盤楽器の鍵盤装置において、多孔質部材により鍵の操作性やタッチ感を向上させるとともに、ヒンジ部の耐久性を確保する。【解決手段】鍵１０を上部部材１１と下部部材１２とで構成する。上部部材１１は多孔質部材とする。下部部材１２は弾性部材とし、下部部材１２の後端部に水泳ヒンジ部１２ａを形成する。鍵１０の後端部の切欠き部１０ａに黒鍵２０の水平ヒンジ部２２ａを配置する。鍵１０の上部材１１を切欠き部１０ａの高さＤの配意内に配置し、鍵１０の上面１０Ａと黒鍵２０の水平ヒンジ部２２ａの高さを面一にする。多孔質部材である上部部材１１の材質からくる、曲がりにくさ、もろさ（折れやすさ）を弾性部材である下部部材１２により回避する。【選択図】図２
2008191650.tif 000002
【特許請求の範囲】
【請求項１】
上部部材と下部部材とを組み合わせて鍵本体部を構成した鍵であって、該鍵には鍵揺動のためのヒンジ部を有してなり、該鍵を複数並設して構成した鍵盤装置において、
前記上部部材が多孔質部材で形成され、前記下部部材は弾性材で構成されるとともに前記ヒンジ部は該下部部材の所定位置に設けられていることを特徴とする鍵盤装置。
【請求項２】
鍵基端部支持部を有する支持部材と、
上部部材と下部部材とを組み合わせて鍵本体部を構成した複数の白鍵及び黒鍵が共通基端部で一体に接続され、前記上部部材が多孔質部材で形成され、該共通基端部が前記支持部材の前記鍵基端部支持部に保持された鍵ユニットとを有し、
前記鍵ユニットにおける各白鍵及び各黒鍵は、前記共通基端部と、前記鍵本体部と、該鍵本体部を前記共通基端部に対して押離鍵方向に揺動自在に連結するヒンジ部とから構成され、
前記ヒンジ部は、前記下部部材の所定位置に設けられていることを特徴とする鍵盤装置。
【請求項３】
鍵基端部支持部を有する支持部材と、
上部部材と下部部材とを組み合わせて鍵本体部を構成した複数の白鍵及び黒鍵が共通基端部で一体に接続され、前記上部部材が多孔質部材で形成され、該共通基端部が前記支持部材の前記鍵基端部支持部に保持された鍵ユニットとを有し、
前記鍵ユニットにおける各白鍵及び各黒鍵は、前記共通基端部と、前記鍵本体部と、該鍵本体部を前記共通基端部に対して押離鍵方向に揺動自在に連結するヒンジ部とから構成され、
前記鍵の長手方向における前記ヒンジ部の手前に、前記上部部材を配設したことを特徴とする鍵盤装置。
【発明の詳細な説明】
【技術分野】
【０００１】
本発明は、上部部材と下部部材とを組み合わせて鍵本体部を構成するとともに、該鍵に鍵揺動のためのヒンジ部を有し、該鍵を複数並設して構成した鍵盤装置に関する。
【背景技術】
【０００２】
従来、鍵盤装置として、例えば下記特許文献１に開示されたものがある。この従来の鍵盤装置は、鍵本体部と一体に形成された薄肉のヒンジ部とこのヒンジ部の後端部の共通基端部を鍵フレーム（支持部材）に支持することにより、鍵を揺動自在にしたものである。
【特許文献１】特開２００５−９２２３３号公報
【発明の開示】
【発明が解決しようとする課題】
【０００３】
ところで、鍵本体部を人工象牙や木材等の多孔質材で形成すると、この多孔質部材の吸汗性により演奏時の汗による滑りやべとつきがなくなり、操作性やタッチ感が向上する。
【０００４】
また、このような多孔質部材を用いた鍵において、この鍵に鍵揺動用の回動支点機構を設ける場合、この回動支点機構には潤滑剤を用いることがある。しかしながら、多孔質部材が人工象牙の場合、人工象牙と潤滑剤との科学的相性が悪い場合に耐久性が著しく低下することがある。
【０００５】
これに対して、薄肉のヒンジ部により鍵を揺動自在に支持する場合には潤滑剤を必要としないのでこのような問題はない。しかしながら、このような多孔質部材を用いた鍵本体部に薄肉のヒンジ部を一体に設けると、多孔質部材は可撓性に乏しく、このヒンジ部における耐久性が著しく低下するという問題がある。
【０００６】
本発明は、多孔質部材により鍵の操作性やタッチ感を向上させるとともに、ヒンジ部の耐久性を確保した鍵盤装置を提供することを課題とする。
【課題を解決するための手段】
【０００７】
請求項１の鍵盤装置は、鍵本体部を上部部材と下部部材とで構成し、下部部材に形成したヒンジ部で鍵を揺動可能とし、上部部材を多孔質部材で形成し、前記ヒンジ部を下部部材の所定位置に設け、多孔質部材によるタッチ感の向上と、下部部材の弾性によりヒンジ部の耐久性を確保するようにした。この「所定位置」としては例えば特に鍵の後端部が好適である。
【０００８】
請求項２の鍵盤装置は、鍵を多孔質部材の上部部材と下部部材とで構成し、鍵フレーム等の支持部材の鍵基端部支持部に鍵ユニットの共通基端部を接続した鍵盤装置であり、前記鍵ユニットにおける各白鍵及び各黒鍵は、前記共通基端部と、前記鍵本体部と、該鍵本体部を前記共通基端部に対して押離鍵方向に揺動自在に連結するヒンジ部とから構成され、前記ヒンジ部は、前記下部部材の所定位置に設けられていることを特徴とする。この「所定位置」としては例えば特に鍵の後端部が好適である。
【０００９】
なお、請求項２の鍵盤装置において、白鍵の鍵ユニットと黒鍵の鍵ユニットを備え、白鍵の前記ヒンジ部を下側に、黒鍵の前記ヒンジ部を上側に、重ねて配設するようにし、黒鍵のヒンジ部が白鍵の上面と略同一面となるように白鍵の後端部の上部を切り欠いた切欠き部を形成し、この切欠き部の上下厚さの範囲内に、上記上部部材を配設するようにしてもよい。このようにすると、請求項１と同様な後述効果に加えて、黒鍵のヒンジ部を上下方向で白鍵の上面に近くできるので、黒鍵と白鍵の揺動支点の高さを近くでき、黒鍵と白鍵の押鍵操作時のタッチ感を均一にすることができる。
【００１０】
請求項３の鍵盤装置は、鍵を多孔質部材の上部部材と下部部材とで構成し、鍵フレーム等の支持部材の鍵基端部支持部に鍵ユニットの共通基端部を接続した鍵盤装置であり、前記鍵ユニットにおける各白鍵及び各黒鍵は、前記共通基端部と、前記鍵本体部と、該鍵本体部を前記共通基端部に対して押離鍵方向に揺動自在に連結するヒンジ部とから構成され、前記鍵の長手方向における前記ヒンジ部の手前に、前記上部部材を配設したことを特徴とする。
【００１１】
なお、請求項３の鍵盤装置において、白鍵の鍵ユニットと黒鍵の鍵ユニットを備え、白鍵の前記ヒンジ部を下側に、黒鍵の前記ヒンジ部を上側に、重ねて配設するようにし、黒鍵のヒンジ部が白鍵の上面と略同一面となるように白鍵の後端部の上部を切り欠いた切欠き部を形成し、前記鍵の長手方向における切欠き部の手前に、前記上部部材を配設するようにしてもよい。このようにすると、請求項１と同様な後述効果に加えて、多孔質部材である上部部材が白鍵の切欠き部に掛からないので、黒鍵のヒンジ部とこの上部部材との干渉を防止することができ、この黒鍵のヒンジ部と白鍵の上部部材の耐久性を確保できる。
【発明の効果】
【００１２】
請求項１の鍵盤装置によれば、上部部材の多孔質部材により演奏時の汗による滑りやべとつき等がなくなり、操作性やタッチ感がよくなるとともに、鍵揺動のためのヒンジ部の高い耐久性を確保することができる。また、多孔質部材により、例えば鈍い光沢感を出して象牙調の高級な外観を得ることもできる。
【００１３】
請求項２の鍵盤装置によれば、請求項１と同様な効果に加えて、前記多孔質部材である上部部材の材質からくる、曲がりにくさ、もろさ（折れやすさ）を回避できる。
【００１４】
請求項３の鍵盤装置によれば、請求項１と同様な効果に加えて、前記多孔質部材である上部部材の材質からくる、曲がりにくさ、もろさ（折れやすさ）を回避できる。
【発明を実施するための最良の形態】
【００１５】
以下、図面を参照して本発明の実施の形態について説明する。図１は一実施形態の鍵盤装置１００の基本構成の要部側断面図である。なお、図１において図面の左側が演奏者側、図面に直角な方向が鍵並び方向であり、以下の説明において、鍵盤装置の「上下左右」は演奏時の演奏者側から見た正立状態における「上下左右」の意味とする。また、「前後方向（あるいは手前と奥）」を指す場合、演奏者側を「前、手前」、背面側を「後、奥」とする。
【００１６】
この鍵盤装置１００は例えば電子鍵盤楽器のものであり、鍵１０と、例えば硬質の合成樹脂等で形成された鍵フレーム１１０を備えている。鍵１０は、多孔質部材で構成された上部部材１１と、合成樹脂製の下部部材１２とを有している。上部部材１１は鍵１０の上面１０Ａを構成するものであり、この上部部材１１が下部部材１２の上面に接着固定され、鍵本体部１を構成している。なお、上部部材１１と下部部材１２の具体的な材質の実施例は後述する。下部部材１２には、鍵本体部１の後端部から後方に延設された「ヒンジ部」としての薄肉の水平ヒンジ部１２ａ（例えば水平な平板状）と、水平ヒンジ部１２ａの後端に配置された支持部１２ｂとが一体に形成されている。
【００１７】
そして、支持部１２ｂはネジＮ１により鍵フレーム１１０に固着されている。下部部材１２は合成樹脂製であり、特に水平ヒンジ部１２ａにおいて弾性を有する弾性部材である。したがって、鍵本体部１は水平ヒンジ部１２ａを揺動支点として鍵フレーム１１０に対して上下に揺動可能になっている。なお、図１では白鍵のみ図示してあるが図１の図面と垂直な方向（鍵並び方向）に同様な構成の多数の白鍵及び黒鍵が併設されている。
【００１８】
なお、下部部材１２の先端の鍵フレーム１１０側には、鈎状部材１２１が垂下されており、鍵１０の押鍵時には下部部材１２の裏側の当接面１２２がストッパ１８に当接し、鍵１０の離鍵時には鈎状部材１２１の当接面１２１ａがストッパ１９に当接し、鍵１０の揺動範囲が規制される。
【００１９】
このように鍵本体部１は、上部部材１１と下部部材１２とを組み合わせて構成され、この鍵本体部１には鍵揺動のための水平ヒンジ部１２ａを有してなり、該鍵を複数並設して構成した鍵盤装置１００において、上部部材１１は多孔質部材で構成されている。また、下部部材１２は弾性材で構成されるとともに水平ヒンジ部１２ａは下部部材１２の所定位置（この例では鍵本体部１の後端部）に設けられている。
【００２０】
したがって、鍵１０の上面１０Ａは吸汗性を有し、これにより演奏時の汗による滑りやべとつきがなくなり、操作性やタッチ感がよい。かつ、鍵本体部１を揺動可能にする水平ヒンジ部１２ａは下部部材１２自体の材質である弾性材（合成樹脂）となっているので、この水平ヒンジ部１２ａは、鍵本体部１の揺動動作に対して高い耐久性を有する。なお、水平ヒンジ部１２ａは鍵本体部１の後端部の上下方向のどの位置に形成されていてもよく、この位置（所定位置）は他の構成との関係で適宜決定すればよい。
【００２１】
図２は他の実施形態であってさらに詳細な実施形態の鍵盤装置の要部側断面図、図３は同鍵盤装置における鍵アッセンブリの一部平面図、図４は同鍵アッセンブリの共通基端部近傍の拡大側面図である。なお、図１の要素と対応する要素には同部号を付記する。また、「白鍵」及び「黒鍵」を単に「鍵」ともいう。図２に示すように、鍵盤装置１００において、鍵フレーム１１０は図示しない下ケースに固定され、この鍵フレーム１１０には、複数の白鍵１０及び黒鍵２０からなる鍵アッセンブリＫが、鍵並び方向に複数オクターブ分配設されている。
【００２２】
以下、鍵盤装置１の構成要素のうち、白鍵１０と黒鍵２０について、同種の要素に同じ符号を用いる場合があるが、白鍵１０に対応するものと黒鍵２０に対応するものとを区別するときは、その符号の後にそれぞれ「Ｗ」、「Ｂ」を付して区別する。
【００２３】
図３に示すように、鍵アッセンブリＫは、２種類の白鍵の鍵ユニットＫＵＷ１，ＫＵＷ２と１種類の黒鍵の鍵ユニットＫＵＢとからなる。なお、黒鍵の鍵ユニットＫＵＢは仮想線（二点差線）で図示してある。この実施例では、１つの鍵アッセンブリＫは１オクターブを単位として構成されており、白鍵は、音名でいう「Ｄ、Ｆ、Ａ」の白鍵１０が共通基端部１２ｃ１で一体に連結された第１鍵ユニットＫＵＷ１と、「Ｃ、Ｅ、Ｇ、Ｂ」の白鍵１０が共通基端部１２ｃ２で一体に連結された第２鍵ユニットＫＵＷ２とで構成される。黒鍵の鍵ユニットＫＵＢは、「Ｃ♯、Ｄ♯、Ｆ♯、Ｇ♯、Ａ♯」の黒鍵２０が共通基端部２２ｃで一体に連結されている。
【００２４】
さらに詳細には、白鍵の鍵ユニットＫＵＷは、鍵１０の後端部から後方に延設された「ヒンジ部」としての薄肉の水平ヒンジ部１２ａ（例えば水平な平板状）と、水平ヒンジ部１２ａのさらに後方に形成された水平断面「Ｈ」字形状の垂直ヒンジ部１２ｄとを有し、鍵１０は水平ヒンジ部１２ａ及び垂直ヒンジ部１２ｄによって共通基端部１２ｃ１（または１２ｃ２）に連結されている。また、黒鍵の鍵ユニットＫＵＢは、鍵２０の後端部から後方に延設された薄肉の水平ヒンジ部２２ａ，２２ａにより共通基端部２２ｃに連結されている。
【００２５】
ここで、黒鍵の水平ヒンジ部２２ａ，２２ａは１つの黒鍵２０に対して二股構造となっており、鍵並び方向における水平ヒンジ部２２ａ，２２ａの全体の幅は黒鍵２０の幅よりも広く形成されている。そして、この水平ヒンジ部２２ａは隣接する白鍵１０の水平ヒンジ部１２ａの上に所定の間隔を隔てて一部が重なっている。さらに、この黒鍵２０の水平ヒンジ部２２ａと白鍵１０との干渉を防ぐために、白鍵１０の後端部の上部にはその一部を切り欠いた切欠き部１０ａ（図３，図４参照）が形成されている。すなわち、この切欠き部１０ａは、黒鍵２０の水平ヒンジ部２２ａが白鍵１０の上面と略同一面となるように形成されたものでもある。
【００２６】
図４に示すように、鍵ユニットＫＵＷ１，ＫＵＷ２，ＫＵＢは、下から順に、鍵ユニットＫＵＷ２の共通基端部１２ｃ２、鍵ユニットＫＵＷ１の共通基端部１２ｃ１、鍵ユニットＫＵＢの共通基端部２２ｃが積層嵌合されている。また、共通基端部１２ｃ２，１２ｃ１，２２ｃにはそれぞれネジ締結用孔１２ｎ２，１２ｎ１，２２ｎが複数穿設されており、鍵ユニットＫＵＷ２の共通基端部１２ｃ２の下部には、前後方向の位置決め基準となる当接面１２ｔ，１２ｔが形成されている。
【００２７】
図２に示す鍵フレーム１１０は「支持部材」であり、この鍵フレーム１１０の後方部には鍵基端部支持部４０が形成されている。図４に詳細に示すように、この鍵基端部支持部４０は、その前端面及び後端面となる固着部１１５，１１６を有し、前記鍵ユニットＫＵＷ２の共通基端部１２ｃ２の当接面１２ｔ，１２ｔが固着部１１５，１１６に当接対向され、ネジにより、共通基端部１２ｃ２，１２ｃ１，２２ｃが鍵基端部支持部４０にネジ止めされる。これにより、鍵１０は水平ヒンジ部１２ａを揺動支点として、鍵２０は水平ヒンジ部２２ａを揺動支点として、それぞれ鍵フレーム１１０に対して上下に揺動可能になっている。このように、白鍵１０の水平ヒンジ部１２ａを下側に黒鍵２０のヒンジ部２２ａを上側にし、それぞれ重ねて配設するようになっている。
【００２８】
鍵アッセンブリＫの下方には、ハンマー構造体３が配設されている。このハンマー構造体３は、前後方向に延びる質量棒３１と該質量棒３１の端部を保持する作動部３２とで構成され、作動部３２の軸３２ａを支点として鍵フレーム１１０に軸支されている。また、作動部３２の先端には上下に二股に分かれた連結片３２ｂが形成されており、鍵１０の作用部１４の下端に形成された連結板１４ａが連結片３２ｂに連結されている。
【００２９】
以上の構成により、次のように作用する。なお、白鍵１０を例にして説明するが、黒鍵２０についても同様である。鍵１０が押鍵されると、その作用部１４がハンマー構造体３の作動部３２を押し下げ、ハンマー構造体３は軸３２ａを回動中心として図２において反時計回りに回動する。また、鍵１０の離鍵時には、ハンマー構造体３は、質量棒３１の自重により図２において時計回りに回動し、鍵１０の水平ヒンジ部１２ａの弾性力と協働して、鍵１０が復帰する。これにより、アコースティックピアノのようなタッチ感を実現している。なお、鍵フレーム１１０には、後方下端部と後方上端部とにフェルト等のストッパＳＤ，ＳＵが取り付けられており、このストッパＳＤ，ＳＵによりハンマー構造体３の回動範囲が規制される。また、鍵ユニットＫＵとハンマー構造体３との間には基板５０が配設されており、この基板５０上の鍵スイッチ５０ａが鍵１０の押離鍵によりオン／オフする。
【００３０】
次に鍵１０の詳細について説明する。図２及び図４に示すように、鍵１０は、多孔質部材で構成された上部部材１１と、合成樹脂製の下部部材１２とを有している。上部部材１１は下部部材１２の上に形成され、この上部部材１１は鍵１０の上面１０Ａを構成する。なお、下部部材１２の上面には例えば鍵長Ｔ方向に溝を成す凹凸２が形成されており、この凹凸を有する部分において、鍵ユニットＫＵＷを成型するとき下部部材１２と共に二色成型したものである。そして、前記水平ヒンジ部１２ａは下部部材１２と一体に形成されたものである。
【００３１】
すなわち、鍵１０の下部部材１２は合成樹脂製であり、特に水平ヒンジ部１２ａにおいて弾性を有する弾性部材である。したがって、鍵１０は水平ヒンジ部１２ａを揺動支点として揺動可能となる。なお、共通基端部１２ｃ１，１２ｃ２に接続された垂直ヒンジ部１２ｄ，１２ｄは左右方向へ撓みやすく、自由状態においては鍵１０の自由端の鍵並び方向への揺動を許容している。
【００３２】
また、図４に示すように、鍵１０において、上部部材１１は鍵１０の前記切欠き部１０ａの上下厚さＤの範囲内に配設され、この上部部材１１で構成あれる鍵１０の上面１０Ａと、黒鍵のヒンジ部２２ａの上面とが殆ど面一になっている。このため、黒鍵２０と白鍵１０の揺動支点の高さを近くでき、黒鍵２０と白鍵１０の押鍵操作時のタッチ感が均一になる。
【００３３】
また、上部部材１１は、鍵１０の長手方向における切欠き部１０ａの手前（演奏者側）に配設されており、上部部材１１が白鍵１０の切欠き部１０ａに掛からないので、黒鍵２０のヒンジ部２２ａとこの上部部材１１との干渉を防止することができ、ヒンジ部２２ａと上部部材１１の耐久性を確保できる。
【００３４】
実施形態の上部部材１１及び下部部材１２の具体的な材質の一例は以下のとおりである。多孔質部材である上部部材１１は、象牙、黒檀、人工象牙、人工黒檀、その他の木材等が適している。また、上部部材１１として、ケイ酸カルシウムや、炭酸カルシウムや、珪藻土などを、白色系の着色剤とＡＳ（アクリロニトリル・スチレン）樹脂に混ぜたものである。白色系の着色剤としては、白色の顔料等がもちいられる（例えば、酸化チタン、二酸化チタン、酸化亜鉛、鉛白、リトボン等）。なお、上記ケイ酸カルシウム、炭酸カルシ
ウム、珪藻土などの含有量は、重量比で３〜５０％とすれば演奏に適した特性を維持できるが、特に高級な鍵盤とする場合は、好ましくは重量比で１０〜３０％とする。なお、下部部材１２は、ＡＢＳ樹脂、ＡＳ樹脂等の繰り返し曲げに適したものを使う。この場合、曲げ弾性率５０ＭＰａ〜２０ＧＰａのものを用いる。例えば、曲げ弾性率５０ＭＰａ〜２００ＭＰａである軟質エラストマーや軟質塩化ビニール系のもの、曲げ弾性率２ＧＰａ〜４ＧＰａであるＡＢＳ樹脂、ＡＳ樹脂、アクリル系のもの、曲げ弾性率６ＧＰａ〜２０ＧＰａであるＦＲＰのものを用いることができ、特に上記ＡＢＳ樹脂、ＡＳ樹脂、アクリル系のものが好適である。また、下部部材１２は金属等で加工してもよく、水平ヒンジ部１２ａの部分は金属板により弾性を持たせるようにすればよい。
【図面の簡単な説明】
【００３５】
【図１】本発明の実施形態の鍵盤装置の基本構成の要部側断面図である。
【図２】本発明のさらに詳細な実施形態の鍵盤装置の要部側断面図である。
【図３】同鍵盤装置における鍵アッセンブリの一部平面図である。
【図４】同鍵アッセンブリの基端部近傍の拡大側面図である。
【符号の説明】
【００３６】
１…鍵本体部、１０…鍵、１０Ａ…上面、１０ａ…切欠き部、１１…上部部材、１２…下部部材、１２ａ…水平ヒンジ部（ヒンジ部）、１２ｃ１，１２ｃ２…共通基端部、２０…黒鍵、２２ａ…水平ヒンジ部（ヒンジ部）、２２ｃ…共通基端部、４０…鍵基端部支持部、１００…鍵盤装置、１１０…鍵フレーム（支持部材）、Ｋ…鍵アッセンブリ、ＫＵＷ…白鍵の鍵ユニット、ＫＵＢ…黒鍵の鍵ユニット
【図１】
2008191650.tif 000003
【図２】
2008191650.tif 000004
【図３】
2008191650.tif 000005
【図４】
2008191650.tif 000006